(57)【要約】      （修正有）【課題】異なるパラメータによるオーバードライブ処理を適切に実行することでクロストークや尾引き現象の発生を抑えることが可能な表示装置を提供する。【解決手段】第１の画像信号に基づく第１の画像及び第２の画像信号に基づく第２の画像を交互に１フレームずつまたは２フレーム以上連続して表示し、かつ所定の周期で順次切り替えて画像表示領域に線順次表示する表示部と、複数の異なるパラメータを用いてオーバードライブ処理を実行し、連続する２つ以上の前記第１の画像及び前記第２の画像の階調差に応じて次フレーム以降表示される画像に対するオーバードライブ処理に適用するパラメータを選択するオーバードライブ処理部と、を備える、３次元画像の表示装置が提供される。【選択図】図２
2011090079.tif 000002
【特許請求の範囲】
【請求項１】
第１の画像信号に基づく第１の画像及び第２の画像信号に基づく第２の画像を交互に１フレームずつまたは２フレーム以上連続して表示し、かつ所定の周期で順次切り替えて画像表示領域に線順次表示する表示部と、
複数の異なるパラメータを用いてオーバードライブ処理を実行し、連続する２つ以上のオーバードライブ処理前の前記第１の画像及び前記第２の画像の階調差の大小に応じて次フレーム以降表示される画像に対するオーバードライブ処理に適用するパラメータを選択するオーバードライブ処理部と、
を備える、表示装置。
【請求項２】
前記オーバードライブ処理部は、前記２フレーム以上の期間の少なくとも１つのフレームに適用するパラメータを選択する、請求項１に記載の表示装置。
【請求項３】
連続する２つ以上のオーバードライブ処理前の前記第１の画像及び前記第２の画像の階調差が小さい場合に適用するパラメータを用いた補正量の絶対値は、開始階調と目標階調の組み合わせの内少なくとも半分以上の組み合わせにおいて、連続する２つ以上のオーバードライブ処理前の前記第１の画像及び前記第２の画像の階調差が大きい場合に適用するパラメータを用いた補正量の絶対値よりも大きい、請求項１に記載の表示装置。
【請求項４】
前記オーバードライブ処理部は、オーバードライブ処理前の前記第１の画像及び前記第２の画像の階調差の大小に応じてフラグを決定し、該フラグの値に応じてパラメータを選択する、請求項１に記載の表示装置。
【請求項５】
前記オーバードライブ処理部は、前記２フレーム以上の期間の内の各フレームに対してそれぞれ適用するパラメータを選択する、請求項１に記載の表示装置。
【請求項６】
前記表示部に表示される画像の直前のフレームの画像の階調値を格納する記憶部と、
前記階調値を前記記憶部に格納する際に、該階調値と、前記記憶部に格納済みの画像の階調値との組み合わせから、前記記憶部に格納する階調値を置換する階調置換部と、
を更に備える、請求項５に記載の表示装置。
【請求項７】
前記表示部に表示される画像の直前のフレームの画像の階調値を格納する記憶部と、
前記階調値を前記記憶部に格納する際に、該階調値と、前記記憶部に格納済みの画像の階調値との組み合わせから、前記記憶部に格納する階調値を置換する階調置換部と、
を更に備え、
前記オーバードライブ処理部は、前記記憶部に格納されている階調値と目標の階調値とを組み合わせてオーバードライブ処理を実行する、請求項１に記載の表示装置。
【請求項８】
前記２フレーム以上の画像の内の最終フレームに対しては、前記階調置換部は階調値を置換せずに前記記憶部に格納する、請求項７に記載の表示装置。
【請求項９】
第１の画像信号に基づく第１の画像及び第２の画像信号に基づく第２の画像を交互に１フレームずつまたは２フレーム以上連続して表示し、かつ所定の周期で順次切り替えて画像表示領域に線順次表示する表示部に対して入力される前記第１の画像信号および前記第２の画像信号を取得する信号取得ステップと、
複数の異なるパラメータを用いてオーバードライブ処理を実行し、連続する２つ以上のオーバードライブ処理前の前記第１の画像及び前記第２の画像の階調差の大小に応じて次フレーム以降表示される画像に対するオーバードライブ処理に適用するパラメータを選択するオーバードライブ処理ステップと、
を備える、表示方法。
【請求項１０】
コンピュータに、
第１の画像信号に基づく第１の画像及び第２の画像信号に基づく第２の画像を交互に１フレームずつまたは２フレーム以上連続して表示し、かつ所定の周期で順次切り替えて画像表示領域に線順次表示する表示部に対して入力される前記第１の画像信号および前記第２の画像信号を取得する信号取得ステップと、
複数の異なるパラメータを用いてオーバードライブ処理を実行し、連続する２つ以上のオーバードライブ処理前の前記第１の画像及び前記第２の画像の階調差の大小に応じて次フレーム以降表示される画像に対するオーバードライブ処理に適用するパラメータを選択するオーバードライブ処理ステップと、
を実行させる、コンピュータプログラム。
【発明の詳細な説明】
【技術分野】
【０００１】
本発明は、表示装置、表示方法およびコンピュータプログラムに関する。
【背景技術】
【０００２】
画面に表示される映像を立体的な映像として観察者に知覚させる表示装置が存在している。かかる表示装置における立体的な画像として観察者に知覚させるための画像表示手法に、左眼用映像及び右目用映像を非常に短い周期で画面全体に交互に表示させる時分割表示方式がある（特許文献１〜３参照）。
【０００３】
時分割表示方式で表示される映像は、観察者に掛けさせたシャッタ眼鏡を通すことで観察者に立体的な映像として知覚させることができる。左眼用映像が表示されている期間では、シャッタ眼鏡の左眼部のシャッタ（例えば液晶シャッタ）を開いて画面からの光を透過させ、シャッタ眼鏡の右眼部のシャッタを閉じて画面からの光を遮断させる。一方、右眼用映像が表示されている期間では、シャッタ眼鏡の左眼部のシャッタを閉じて画面からの光を遮断させ、シャッタ眼鏡の右眼部のシャッタを開いて画面からの光を透過させる。
【０００４】
しかし、かかる表示装置では、画面に液晶パネルを用いた場合における液晶応答速度の不足や、シャッタ眼鏡の液晶シャッタのコントラスト不足等の、表示装置やシャッタ眼鏡の特性上の理由からクロストークが発生する問題がある。クロストークとは、右眼用の映像の一部が左眼に、左眼用の映像の一部が右眼に、それぞれ漏れ込む現象のことである。
【０００５】
このクロストークを改善する方法として、表示パネルを高速で（例えば２４０Ｈｚで）駆動させ、左眼用の画像と右眼用の画像を、それぞれ２回ずつ繰り返して画面に表示させ、それぞれ２回目に表示された画像の一期間のみシャッタ眼鏡を開く方法、それぞれ２回目に表示された画像の一期間のみバックライトを点灯させる方法が提案されている。また、液晶応答速度の不足を補う方法としては、液晶パネルの各画素に対する印加電圧値を補正するオーバードライブ処理が提案されている。
【先行技術文献】
【特許文献】
【０００６】
【特許文献１】特開平９−１３８３８４号公報
【特許文献２】特開２０００−３６９６９号公報
【特許文献３】特開２００３−４５３４３号公報
【発明の概要】
【発明が解決しようとする課題】
【０００７】
しかし、従来の２次元（２Ｄ）画像向けのオーバードライブ処理は、定常状態からの応答を前提とした手法や設定値が用いられており、右眼用映像と左眼用映像とが常に繰り返して表示され、パネル内部の液晶が定常状態に落ち着くことが無い３次元（３Ｄ）画像の表示においては、２Ｄ画像向けの場合とは異なるオーバードライブ処理の手法や設定値を適用する必要がある。
【０００８】
オーバードライブ処理による印加電圧値の補正量は、定常状態からの応答を前提とした２Ｄ画像向けの場合の方が、定常状態に落ち着くことがない３Ｄ画像向けの場合よりも大きい。従って、３Ｄ画像を表示している際に２Ｄ画像向けのオーバードライブ処理を実行すると、目標の輝度とのずれが生じ、図１１に示したように、結果的に目標輝度からのずれ、ずなわちクロストークが発生してしまうという問題があった。
【０００９】
また、３Ｄ画像を表示している際であっても、視差が無い場面など、液晶が定常状態に達しているような場合に３Ｄ画像向けのオーバードライブ処理を実行すると、図１２に示したように、目標とする輝度に到達するまでに時間がかかってしまい、いわゆる「尾引き現象」が発生してしまうという問題があった。さらに、また、３Ｄ画像を表示している際であっても、視差が無い場面など液晶が定常状態に達している状態から、左眼用の画像と右眼用の画像との繰り返しによる３Ｄ画像の表示に遷移した場合には、２Ｄ画像向けのオーバードライブ処理を実行しても、３Ｄ画像向けのオーバードライブ処理を実行しても、図１３に示したように、クロストークや尾引き現象が発生してしまうという問題があった。
【００１０】
そこで、本発明は、上記問題に鑑みてなされたものであり、本発明の目的とするところは、異なるパラメータによるオーバードライブ処理を適切に実行することでクロストークや尾引き現象の発生を抑えることが可能な、新規かつ改良された表示装置、表示方法およびコンピュータプログラムを提供することにある。
【課題を解決するための手段】
【００１１】
上記課題を解決するために、本発明のある観点によれば、第１の画像信号に基づく第１の画像及び第２の画像信号に基づく第２の画像を交互に１フレームずつまたは２フレーム以上連続して表示し、かつ所定の周期で順次切り替えて画像表示領域に線順次表示する表示部と、複数の異なるパラメータを用いてオーバードライブ処理を実行し、連続する２つ以上のオーバードライブ処理前の前記第１の画像及び前記第２の画像の階調差の大小に応じて次フレーム以降表示される画像に対するオーバードライブ処理に適用するパラメータを選択するオーバードライブ処理部と、を備える、表示装置が提供される。
【００１２】
前記オーバードライブ処理部は、前記２フレーム以上の期間の少なくとも１つのフレームに適用するパラメータを選択してもよい。
【００１３】
連続する２つ以上のオーバードライブ処理前の前記第１の画像及び前記第２の画像の階調差が小さい場合に適用するパラメータを用いた補正量の絶対値は、開始階調と目標階調の組み合わせの内少なくとも半分以上の組み合わせにおいて、連続する２つ以上のオーバードライブ処理前の前記第１の画像及び前記第２の画像の階調差が大きい場合に適用するパラメータを用いた補正量の絶対値よりも大きくてもよい。
【００１４】
前記オーバードライブ処理部は、オーバードライブ処理前の前記第１の画像及び前記第２の画像の階調差の大小に応じてフラグを決定し、該フラグの値に応じてパラメータを選択してもよい。
【００１５】
前記オーバードライブ処理部は、前記２フレーム以上の期間の内の各フレームに対してそれぞれ適用するパラメータを選択してもよい。
【００１６】
上記表示装置は、前記表示部に表示される画像の直前のフレームの画像の階調値を格納する記憶部と、前記階調値を前記記憶部に格納する際に、該階調値と、前記記憶部に格納済みの画像の階調値との組み合わせから、前記記憶部に格納する階調値を置換する階調置換部と、を更に備えていてもよい。
【００１７】
上記表示装置は、前記表示部に表示される画像の直前のフレームの画像の階調値を格納する記憶部と、前記階調値を前記記憶部に格納する際に、該階調値と、前記記憶部に格納済みの画像の階調値との組み合わせから、前記記憶部に格納する階調値を置換する階調置換部と、を更に備え、前記オーバードライブ処理部は、前記記憶部に格納されている階調値と目標の階調値とを組み合わせてオーバードライブ処理を実行してもよい。
【００１８】
前記２フレーム以上の画像の内の最終フレームに対しては、前記階調置換部は階調値を置換せずに前記記憶部に格納してもよい。
【００１９】
また、上記課題を解決するために、本発明の別の観点によれば、第１の画像信号に基づく第１の画像及び第２の画像信号に基づく第２の画像を交互に１フレームずつまたは２フレーム以上連続して表示し、かつ所定の周期で順次切り替えて画像表示領域に線順次表示する表示部に対して入力される前記第１の画像信号および前記第２の画像信号を取得する信号取得ステップと、複数の異なるパラメータを用いてオーバードライブ処理を実行し、連続する２つ以上のオーバードライブ処理前の前記第１の画像及び前記第２の画像の階調差の大小に応じて次フレーム以降表示される画像に対するオーバードライブ処理に適用するパラメータを選択するオーバードライブ処理ステップと、を備える、表示方法が提供される。
【００２０】
また、上記課題を解決するために、本発明の別の観点によれば、コンピュータに、第１の画像信号に基づく第１の画像及び第２の画像信号に基づく第２の画像を交互に１フレームずつまたは２フレーム以上連続して表示し、かつ所定の周期で順次切り替えて画像表示領域に線順次表示する表示部に対して入力される前記第１の画像信号および前記第２の画像信号を取得する信号取得ステップと、複数の異なるパラメータを用いてオーバードライブ処理を実行し、連続する２つ以上のオーバードライブ処理前の前記第１の画像及び前記第２の画像の階調差の大小に応じて次フレーム以降表示される画像に対するオーバードライブ処理に適用するパラメータを選択するオーバードライブ処理ステップと、を実行させる、コンピュータプログラムが提供される。
【発明の効果】
【００２１】
以上説明したように本発明によれば、異なるパラメータによるオーバードライブ処理を適切に実行することでクロストークや尾引き現象の発生を抑えることが可能な、新規かつ改良された表示装置、表示方法およびコンピュータプログラムを提供することができる。
【図面の簡単な説明】
【００２２】
【図１】本発明の一実施形態にかかる表示装置１００の外観を示す説明図である。
【図２】本発明の一実施形態にかかる表示装置１００の機能構成について示す説明図である。
【図３Ａ】オーバードライブルックアップテーブルの一例を示す説明図である。
【図３Ｂ】オーバードライブルックアップテーブルの一例を示す説明図である。
【図３Ｃ】オーバードライブルックアップテーブルの一例を示す説明図である。
【図３Ｄ】オーバードライブルックアップテーブルの一例を示す説明図である。
【図４】一連のオーバードライブ処理の流れについて示す説明図である。
【図５】一連のオーバードライブ処理の流れについて示す説明図である。
【図６Ａ】オーバードライブルックアップテーブルの一例を示す説明図である。
【図６Ｂ】置換ルックアップテーブルの一例を示す説明図である。
【図６Ｃ】オーバードライブルックアップテーブルの一例を示す説明図である。
【図６Ｄ】置換ルックアップテーブルの一例を示す説明図である。
【図７】一連のオーバードライブ処理の流れについて示す説明図である。
【図８】一連のオーバードライブ処理の流れについて示す説明図である。
【図９】一連のオーバードライブ処理の流れについて示す説明図である。
【図１０】本発明の一実施形態によるオーバードライブ処理の結果を示す説明図である。
【図１１】従来のオーバードライブ処理の結果を示す説明図である。
【図１２】従来のオーバードライブ処理の結果を示す説明図である。
【図１３】従来のオーバードライブ処理の結果を示す説明図である。
【図１４】一連のオーバードライブ処理の流れについて示す説明図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
なお、説明は以下の順序で行うものとする。
＜１．本発明の一実施形態＞
［１−１．本発明の一実施形態にかかる表示装置の構成］
［１−２．本発明の一実施形態にかかる表示装置の機能構成］
［１−３．本発明の一実施形態にかかる表示装置の動作］
＜２．まとめ＞
【００２５】
＜１．本発明の一実施形態＞
［１−１．本発明の一実施形態にかかる表示装置の構成］
以下において、本発明の一実施形態にかかる表示装置の構成について説明する。まず、本発明の一実施形態にかかる表示装置の外観について説明する。図１は、本発明の一実施形態にかかる表示装置１００の外観を示す説明図である。また、図１には、表示装置１００が表示する画像を観察者が立体的な画像として知覚するために用いるシャッタ眼鏡２００も併せて示している。
【００２６】
図１に示した表示装置１００は、画像の表示が行われる画像表示部１１０を備えている。表示装置１００は、通常の画像を画像表示部１１０に表示するだけではなく、観察者に立体的な画像として知覚させる三次元画像を画像表示部１１０に表示することが可能な装置である。
【００２７】
画像表示部１１０の構成については詳述するが、ここで簡単に説明すると、画像表示部１１０は、光源、液晶パネル、及び液晶パネルを挟んで設けられる一対の偏光板を含んで構成される。光源からの光は液晶パネル及び偏光板を透過することで所定の方向に偏光された光となる。
【００２８】
シャッタ眼鏡２００は、例えば液晶シャッタからなる右目用画像透過部２１２及び左目用画像透過部２１４を含んで構成されている。シャッタ眼鏡２００は、表示装置１００から送出される信号に応じて、右目用画像透過部２１２及び左目用画像透過部２１４の開閉動作を実行する。観察者は、シャッタ眼鏡２００の右目用画像透過部２１２及び左目用画像透過部２１４を通して、画像表示部１１０から発する光を見ることで、画像表示部１１０に表示される画像を立体的な画像として知覚することが出来る。
【００２９】
一方、通常の画像が画像表示部１１０に表示されている場合は、観察者はそのまま画像表示部１１０から出射される光を見ることで、通常の画像として知覚することができる。
【００３０】
なお、図１では、表示装置１００をテレビ受像機として図示していたが、本発明においては、表示装置の形状はかかる例に限定されないことは言うまでも無い。例えば、本発明の表示装置は、例えば、パーソナルコンピュータその他の電子機器と接続して用いられるモニタであってもよく、携帯型のゲーム機であってもよく、携帯電話や携帯型の音楽再生装置であってもよい。
【００３１】
以上、本発明の一実施形態にかかる表示装置１００の外観について説明した。次に、本発明の一実施形態にかかる表示装置１００の機能構成について説明する。
【００３２】
［１−２．本発明の一実施形態にかかる表示装置の機能構成］
図２は、本発明の一実施形態にかかる表示装置１００の機能構成について示す説明図である。以下、図２を用いて本発明の一実施形態にかかる表示装置１００の機能構成について説明する。
【００３３】
図２に示したように、本発明の一実施形態にかかる表示装置１００は、画像表示部１１０と、映像信号制御部１２０と、シャッタ制御部１３０と、オーバードライブ処理部１３５と、タイミング制御部１４０と、フレームメモリ１５０と、バックライト制御部１５５と、を含んで構成される。
【００３４】
画像表示部１１０は、上述したように画像の表示が行われるものであり、外部から信号が印加されると、印加された信号に応じた画像の表示が行われる。画像表示部１１０は、表示パネル１１２と、ゲートドライバ１１３と、データドライバ１１４と、バックライト１１５と、を含んで構成される。
【００３５】
表示パネル１１２は、外部からの信号の印加に応じて画像を表示するものである。表示パネル１１２は、複数の走査線に対する順次走査により画像を表示する。表示パネル１１２は、ガラス等の透明板の間に所定の配向状態を有する液晶分子が封入されている。表示パネル１１２の駆動方式は、ＴＮ（Ｔｗｉｓｔｅｄ  Ｎｅｍａｔｉｃ）方式であってもよく、ＶＡ（Ｖｉｒｔｉｃａｌ  Ａｌｉｇｎｍｅｎｔ）方式であってもよく、ＩＰＳ（Ｉｎ−Ｐｌａｃｅ−Ｓｗｉｔｃｈｉｎｇ）方式であってもよい。以下の説明では、表示パネル１１２の駆動方式は、特に断りが無ければＶＡ方式であるとして説明するが、本発明においてはかかる例に限られないことはいうまでも無い。なお、本実施形態にかかる表示パネル１１２は、高速なフレームレート（例えば１２０Ｈｚや２４０Ｈｚ）で画面の書き換えが可能な表示パネルである。そして、本実施形態では、右目用の画像と左目用の画像を、表示パネル１１２に所定のタイミングで交互に表示させることで、観察者に立体的な画像として知覚させることができる。
【００３６】
ゲートドライバ１１３は、表示パネル１１２のゲートバスライン（図示せず）を駆動するためのドライバである。ゲートドライバ１１３にはタイミング制御部１４０から信号が伝送され、ゲートドライバ１１３はタイミング制御部１４０から伝送された信号に応じてゲートバスラインへ信号を出力する。
【００３７】
データドライバ１１４は、表示パネル１１２のデータ線（図示せず）に印加するための信号を生成するためのドライバである。データドライバ１１４にはタイミング制御部１４０から信号が伝送され、データドライバ１１４はタイミング制御部１４０から伝送された信号に応じてデータ線へ印加する信号を生成して出力する。
【００３８】
バックライト１１５は、観察者側から見て画像表示部１１０の一番奥に設けられるものである。画像表示部１１０に画像を表示する際には、バックライト１１５からは偏光されていない（無偏光の）白色光が観察者側に位置する表示パネル１１２に出射される。バックライト１１５としては、例えば発光ダイオードを用いても良く、冷陰極管を用いてもよい。なお、図２では、バックライト１１５として面光源を示しているが、本発明においては光源の形態はかかる例に限定されない。例えば、表示パネル１１２の周辺部に光源を配置し、当該光源からの光を拡散板等で拡散することで表示パネル１１２に光を出射してもよい。また例えば、面光源の替わりに点光源と集光レンズを組み合わせてもよい。
【００３９】
映像信号制御部１２０は、映像信号制御部１２０の外部からの映像信号の伝送を受けると、受け取った映像信号を、画像表示部１１０における三次元画像の表示に適したものとなるように各種信号処理を実行して出力するものである。映像信号制御部１２０で信号処理が施された映像信号は、オーバードライブ処理部１３５を経て、タイミング制御部１４０に伝送される。また、映像信号制御部１２０で信号処理が実行されると、信号処理に応じてシャッタ制御部１３０に所定の信号を伝送する。映像信号制御部１２０における信号処理としては、例えば以下のようなものがある。
【００４０】
映像信号制御部１２０に、右目用の画像を画像表示部１１０に表示するための映像信号（右目用映像信号）と、左目用の画像を画像表示部１１０に表示するための映像信号（左目用映像信号）が伝送されると、映像信号制御部１２０は２つの映像信号から三次元画像のための映像信号を生成する。本実施形態においては、映像信号制御部１２０は、入力される右目用映像信号及び左目用映像信号から、表示パネル１１２に右目用画像→左目用画像→右目用画像→左目用画像→・・・の順で時分割に表示させるための映像信号を生成する。ここで、左目用画像と右目用画像をそれぞれ複数フレームずつ繰り返して表示させる場合もあり、この場合においては、映像信号制御部１２０は、例えば右目用画像→右目用画像→左目用画像→左目用画像→右目用画像→右目用画像→・・・の順に表示させるための映像信号を生成する。
【００４１】
また、映像信号制御部１２０は、一部のフレームの映像信号に対して、所定のルックアップテーブル（ＬＵＴ）を用いた置換処理を実行する。置換処理が施された映像信号は、後述のフレームメモリ１５０に送られて、フレームメモリ１５０に一時的に格納される。
【００４２】
シャッタ制御部１３０は、映像信号制御部１２０における信号処理に基づいて生成される所定の信号の伝送を受け、当該信号に応じてシャッタ眼鏡２００のシャッタ動作を制御するシャッタ制御信号を生成するものである。シャッタ眼鏡２００では、シャッタ制御部１３０で生成され、赤外線エミッタ（図示せず）から発せされるシャッタ制御信号に基づいて、右目用画像透過部２１２及び左目用画像透過部２１４の開閉動作が実行される。バックライト制御部１５５は、映像信号制御部１２０における信号処理に基づいて生成される所定の信号の伝送を受け、当該信号に応じてバックライトの点灯動作を制御するバックライト制御信号を生成するものである。
【００４３】
オーバードライブ処理部１３５は、映像信号制御部１２０が生成した映像信号、またはフレームメモリ１５０に格納された映像信号に対して、所定のオーバードライブ処理を実行するものである。オーバードライブ処理部１３５は、オーバードライブ処理部１３５の内部に格納されたルックアップテーブルを用いて、オーバードライブ処理を実行する。本実施形態にかかる表示装置１００においては、右目用または左目用の同一の画像を表示する連続したフレームのそれぞれのフレームに対して、異なるルックアップテーブルを用いてオーバードライブ処理を実行する。さらにオーバードライブ処理部１３５は、過渡状態からの応答を前提としたオーバードライブ処理と、定常状態からの応答を前提としたオーバードライブ処理とで、それぞれ異なるルックアップテーブルを用いてオーバードライブ処理を実行する。オーバードライブ処理部１３５でオーバードライブ処理が実行された映像信号は、後段のタイミング制御部１４０に送られる。
【００４４】
タイミング制御部１４０は、オーバードライブ処理部１３５から伝送される信号に応じて、ゲートドライバ１１３およびデータドライバ１１４の動作に用いられるパルス信号を生成するものである。タイミング制御部１４０でパルス信号を生成して、ゲートドライバ１１３およびデータドライバ１１４がタイミング制御部１４０で生成されたパルス信号を受けることで、映像信号制御部１２０から伝送される信号に応じた画像が表示パネル１１２に画像が表示される。
【００４５】
フレームメモリ１５０は、映像信号制御部１２０における信号処理に基づいて生成される映像信号を一時的に記憶するものである。フレームメモリ１５０への映像信号の格納のタイミングや、フレームメモリ１５０に格納されている映像信号の更新のタイミングについては、後に詳述する。
【００４６】
以上、図２を用いて本発明の一実施形態にかかる表示装置１００の機能構成について説明した。次に、本発明の一実施形態にかかる表示装置１００の動作について説明する。
【００４７】
［１−３．本発明の一実施形態にかかる表示装置の動作］
本発明の一実施形態にかかる表示装置１００では、表示パネル１１２が２４０Ｈｚの駆動周波数で駆動し、左目用画像と右目用画像を連続して２フレームずつ表示する場合を例に挙げて説明する。
【００４８】
本発明の一実施形態にかかる表示装置１００では、オーバードライブ処理部１３５でのオーバードライブ処理の際に、オーバードライブパラメータ（ルックアップテーブル）を選択する際に使用する１ビットのフラグが設定される。また、連続して入力される２つの左眼用画像・右眼用画像の階調差が０である場合は、その次の左眼用（または右眼用）画像が入力されている間は、フラグをオンとする。なお、フラグの条件はこれに限定されるものではないことは言うまでも無い。他にも、連続して入力される３つの左眼用画像・右眼用画像の階調差が閾値以下である、という条件を定めてもよく、また、表示パネル１１２の駆動周波数や表示パネル１１２に封入された液晶の応答速度などを考慮して、適宜設定されることが望ましい。また、オーバードライブパラメータの選択に用いるフラグのビット数を増やし、細かい条件分けを行ってもよい。
【００４９】
本発明の一実施形態にかかる表示装置１００は、上述したように、右目用または左目用の同一の画像を表示する連続したフレームのそれぞれのフレームに対して、異なるルックアップテーブルを用いてオーバードライブ処理を実行する。さらにオーバードライブ処理部１３５は、過渡状態からの応答を前提としたオーバードライブ処理と、定常状態からの応答を前提としたオーバードライブ処理とで、それぞれ異なるルックアップテーブルを用いてオーバードライブ処理を実行する。以下の説明においては、便宜上、最初に左目用画像または右目用画像を表示するフレームを第１フレームと称し、その次に左目用画像または右目用画像を表示するフレームを第２フレームと称する。
【００５０】
図３Ａ〜図３Ｄは、オーバードライブ処理部１３５でのオーバードライブ処理に用いるオーバードライブルックアップテーブル（ＬＵＴ）の一例を示す説明図である。図３Ａは、第１フレーム用の、過渡状態からの応答を前提としたオーバードライブＬＵＴ（以下、過渡状態からの応答を前提としたオーバードライブＬＵＴを「ＬＵＴ−Ａ」と称する）の一例を示す図であり、図３Ｂは、第２フレーム用のＬＵＴ−Ａの一例を示す説明図である。そして、図３Ｃは、第１フレーム用の、定常状態からの応答を前提としたオーバードライブＬＵＴ（以下、以下、定常状態からの応答を前提としたオーバードライブＬＵＴを「ＬＵＴ−Ｂ」と称する）の一例を示す図であり、図３Ｄは、第２フレーム用のＬＵＴ−Ｂの一例を示す説明図である。
【００５１】
なお、図３Ａ〜図３Ｄに示した数字は階調を表している。最も暗い階調を０とし、最も明るい階調を２５５とした２５６段階で階調を表現している。「ＳＴＡＲＴ」はオーバードライブ処理前の階調を表しており、「ＤＥＳＴＩＮＡＴＩＯＮ」は、オーバードライブ処理部１３５によるオーバードライブ処理後の左目用画像及び右目用画像の目標階調を表している。そして、各表の中の数字は、オーバードライブ処理部１３５でのオーバードライブ処理で適用するパラメータを表している。このように、オーバードライブ処理部１３５で用いられる各ルックアップテーブルは、開始階調と目標階調の組み合わせの内、少なくとも半分以上の組み合わせにおいて、ＬＵＴ−Ａによる補正量（オーバードライブを適用した場合の出力階調と、オーバードライブを適用しない場合の出力階調との差を指す。以下同じ）の方がＬＵＴ−Ｂによる補正量よりも値が小さいことを特徴としている。
【００５２】
このようなパラメータを有するオーバードライブＬＵＴを用いたオーバードライブ処理を、右目用画像と左目用画像とを２フレームずつ続けて表示する場合において、右目用画像の階調が６４、左目用画像の階調が１２８であるときを例に挙げて説明する。
【００５３】
階調が１２８である第１フレームの左目用画像がオーバードライブ処理部１３５に入力されると、フレームメモリ１５０には、階調が６４である第２フレームの右目用画像が格納されている。
【００５４】
フラグがオフの場合、すなわち、フレームメモリ１５０に格納されている右目用画像の前の左目用画像の階調が６４でなく、フレームメモリ１５０に格納されている右目用画像との間で階調の差がある場合には、オーバードライブ処理部１３５は、階調が１２８である第１フレームの左目用画像に対しては、第１フレーム用のＬＵＴ−Ａを用いてオーバードライブ処理を実行し、同じく階調が１２８である第２フレームの左目用画像に対しては、第２フレーム用のＬＵＴ−Ａを用いてオーバードライブ処理を実行する。
【００５５】
この場合は、ＳＴＡＲＴの値が６４であり、ＤＥＳＴＩＮＡＴＩＯＮの値が１２８である。従って、第１フレームに対しては１７１が、第２フレームに対しては１３６が、それぞれ階調値としてオーバードライブ処理部１３５から出力される。
【００５６】
一方、フラグがオンの場合、すなわち、フレームメモリ１５０に格納されている右目用画像の前の左目用画像の階調が６４であり、フレームメモリ１５０に格納されている右目用画像との間で階調の差が無い場合には、オーバードライブ処理部１３５は、階調が１２８である第１フレームの左目用画像に対しては、第１フレーム用のＬＵＴ−Ｂを用いてオーバードライブ処理を実行し、同じく階調が１２８である第２フレームの左目用画像に対しては、第２フレーム用のＬＵＴ−Ｂを用いてオーバードライブ処理を実行する。
【００５７】
この場合は、ＳＴＡＲＴの値が６４であり、ＤＥＳＴＩＮＡＴＩＯＮの値が１２８である。従って、第１フレームに対しては１７９が、第２フレームに対しては１４５が、それぞれ階調値としてオーバードライブ処理部１３５から出力される。
【００５８】
以上から、ＬＵＴ−Ａによる補正量（オーバードライブを適用した場合の出力階調と、オーバードライブを適用しない場合の出力階調の差を指す。以下同じ）は、第１フレームに対しては４３、第２フレームに対しては８となり、ＬＵＴ−Ｂによる補正量は、第１フレームに対しては５１、第２フレームに対しては１７となる。このように、本実施形態においては、ＬＵＴ−Ｂによる補正量がＬＵＴ−Ａによる補正量よりも大きくなるように、オーバードライブＬＵＴのパラメータが設定することができる。
【００５９】
図４は、本発明の一実施形態にかかる表示装置１００における、オーバードライブ処理部１３５による一連のオーバードライブ処理の流れについて示す説明図である。
【００６０】
図４において、「入力」は映像信号制御部１２０に入力される映像信号をフレーム単位で表したものである。Ｒ０、Ｒ１、・・・は右目用画像信号を指し、Ｌ０、Ｌ１、Ｌ２、・・・は左目用画像信号を指している。図４では、１フレーム目（Ｆｒａｍｅ１）から７フレーム目（Ｆｒａｍｅ７）までの７つのフレームが図示されている。
【００６１】
また、図４において、「フレームメモリ」は、フレームメモリ１５０に格納される映像信号を示したものである。図４では、第２フレームの画像信号をフレームメモリ１５０に格納する場合について示している。従って、図４に示したように、フレームメモリ１５０に格納される画像信号は、２フレームに一度の割合で更新される。
【００６２】
また、図４において、「出力」は、右目用画像信号または左目用画像信号に対するオーバードライブ処理が実行された結果、オーバードライブ処理部１３５から出力される映像信号をフレーム単位で表したものである。例えば、Ｒ０ＯＤ１は入力Ｒ０に対して第１フレーム用のＬＵＴ−Ａ（ＯＤ  ＬＵＴ  １−Ａ）を用いてオーバードライブ処理された結果の出力を表し、Ｒ０ＯＤ２は入力Ｒ０に対して第２フレーム用のＬＵＴ−Ａ（ＯＤ  ＬＵＴ  ２−Ａ）を用いてオーバードライブ処理された結果の出力を表している。そして、図４において、「フラグ」は、オーバードライブ処理部１３５において適用するオーバードライブＬＵＴを選択するためのフラグの状態を表したものである。
【００６３】
図４を用いて、オーバードライブ処理部１３５による一連のオーバードライブ処理を説明する。図４の例においては、右目用画像信号Ｒ０と左目用画像Ｌ１とが同一階調であるとする。右目用画像信号Ｒ０の直前の左目用画像および右目用画像は同一階調ではなく、右目用画像信号Ｒ０と左目用画像Ｌ１に対してはフラグがオフであるとする。従って、第２フレームの左目用画像Ｌ１までは、オーバードライブ処理部１３５はＬＵＴ−Ａを各画像信号に適用してオーバードライブ処理を実行する。
【００６４】
Ｒ０とＬ１が同一階調であったので、それに続くＲ１が入力されている間（Ｆｒａｍｅ５，６）はオーバードライブＬＵＴを選択するためのフラグがオンに設定される。オーバードライブＬＵＴを選択するためのフラグがオンに設定されることで、オーバードライブ処理部１３５では第１フレーム用のＬＵＴ−Ｂ（ＯＤ  ＬＵＴ  １−Ｂ）が選択され、オーバードライブ処理部１３５でのオーバードライブ処理が実行される。そして、続く第２フレームの右目用画像信号Ｒ１に対しても第２フレーム用のＬＵＴ−Ｂ（ＯＤ  ＬＵＴ  ２−Ｂ）が選択され、オーバードライブ処理部１３５でのオーバードライブ処理が実行される。
【００６５】
Ｌ１とＲ１が同一階調ではなかったので、それに続くＬ２が入力されている間（Ｆｒａｍｅ７、８。ただしＦｒａｍｅ８は図示せず）はオーバードライブＬＵＴを選択するためのフラグがオフに設定される。オーバードライブＬＵＴを選択するためのフラグがオフに設定されることで、オーバードライブ処理部１３５では第１フレーム用のＬＵＴ−Ａが選択される。なお、図４には示されていないが、続く第２フレームの左目用信号Ｌ２に対してもオーバードライブ処理部１３５では第２フレーム用のＬＵＴ−Ａが選択される。
【００６６】
このように、右目用画像信号と左目用画像信号との階調差を比較して、階調差に応じて後続の右目用画像信号あるいは左目用画像信号に対して選択するオーバードライブＬＵＴを切り替えることで、クロストークや尾引き現象の発生を抑えたオーバードライブ処理を実行することが可能となる。
【００６７】
なお、動画性能をさらに向上させるために、フレームメモリ１５０に格納する左目用画像または右目用画像の階調を、当該左目用画像または右目用画像の階調及びフレームメモリ１５０に格納しようとする時点でフレームメモリ１５０に格納されている画像の階調に基づいて、置換ＬＵＴを参照し、置換してもよい。置換ＬＵＴは、例えば映像信号制御部１２０に設けられていてもよく、映像信号制御部１２０からフレームメモリ１５０に左目用画像または右目用画像を格納する際に、映像信号制御部１２０が置換ＬＵＴを参照して左目用画像または右目用画像の階調を置換してもよい。
【００６８】
図５は、置換ＬＵＴを併用したオーバードライブ処理の一連の流れについて示す説明図である。図５では、図４と同様に、１フレーム目（Ｆｒａｍｅ１）から７フレーム目（Ｆｒａｍｅ７）までの７つのフレームが図示されている。図５を用いて、オーバードライブ処理部１３５による一連のオーバードライブ処理を説明する。また図５の例においては、右目用画像信号Ｒ０と左目用画像Ｌ１とが同一階調であるとする。右目用画像信号Ｒ０の直前の左目用画像および右目用画像は同一階調ではなく、右目用画像信号Ｒ０と左目用画像Ｌ１に対してはフラグがオフであるとする。従って、第２フレームの左目用画像Ｌ１までは、オーバードライブ処理部１３５はＬＵＴ−Ａを各画像信号に適用してオーバードライブ処理を実行する。また、右目用画像Ｒ０の第２フレーム及び左目用画像Ｌ１の第２フレームに対しては、置換ＬＵＴを参照して、階調を置換してフレームメモリ１５０に格納する。
【００６９】
Ｒ０とＬ１が同一階調であったので、それに続くＲ１が入力されている間（Ｆｒａｍｅ５，６）はオーバードライブＬＵＴを選択するためのフラグがオンに設定される。オーバードライブＬＵＴを選択するためのフラグがオンに設定されることで、オーバードライブ処理部１３５では第１フレーム用のＬＵＴ−Ｂが選択され、オーバードライブ処理部１３５でのオーバードライブ処理が実行される。そして、続く第２フレームの右目用画像信号Ｒ１に対しても第２フレーム用のＬＵＴ−Ｂが選択され、オーバードライブ処理部１３５でのオーバードライブ処理が実行される。
【００７０】
Ｌ１とＲ１が同一階調ではなかったので、それに続くＬ２が入力されている間（Ｆｒａｍｅ７，８。ただしＦｒａｍｅ８は図示せず）はオーバードライブＬＵＴを選択するためのフラグがオフに設定される。オーバードライブＬＵＴを選択するためのフラグがオフに設定されることで、オーバードライブ処理部１３５では第１フレーム用のＬＵＴ−Ａが選択される。なお、図５には示されていないが、続く第２フレームの左目用信号Ｌ２に対してもオーバードライブ処理部１３５では第２フレーム用のＬＵＴ−Ａが選択される。
【００７１】
このように、フレームメモリ１５０に格納する左目用画像または右目用画像の階調を、当該左目用画像または右目用画像の階調及びフレームメモリ１５０に格納しようとする時点でフレームメモリ１５０に格納されている画像の階調に基づいて、置換ＬＵＴを参照し、置換することで、動画性能をより向上させることが可能となり、クロストークや尾引き現象の発生を抑えたオーバードライブ処理を実行することが可能となる。なお、置換ＬＵＴは、フラグの状態に応じて異なるものを用いても良い。
【００７２】
以上、オーバードライブ処理部１３５による一連のオーバードライブ処理について説明した。上記の説明では、左目用画像または右目用画像の各フレームに対して異なるオーバードライブＬＵＴを適用してオーバードライブ処理を実行する例を説明したが、オーバードライブ処理部１３５による一連のオーバードライブ処理は、かかる例に限定されないことは言うまでも無い。以下においては、オーバードライブ処理部１３５によるオーバードライブ処理の別の例について説明する。
【００７３】
オーバードライブ処理部１３５によるオーバードライブ処理の別の例としては、オーバードライブＬＵＴと置換ＬＵＴを用いる方法がある。ここでは、過渡状態からの応答を前提とした場合と、定常状態からの応答を前提とした場合とで、オーバードライブＬＵＴと置換ＬＵＴをそれぞれ２つずつ有し、オーバードライブＬＵＴ及び置換ＬＵＴを用いて、オーバードライブ処理を実行する方法について説明する。
【００７４】
図６Ａ〜図６Ｄは、オーバードライブ処理部１３５でのオーバードライブ処理に用いるオーバードライブＬＵＴと、映像信号制御部１２０での置換処理に用いる置換ＬＵＴの一例を示す説明図である。図６Ａは、過渡状態からの応答を前提としたオーバードライブＬＵＴ−Ａの一例であり、図６Ｂは、過渡状態からの応答を前提とした置換ＬＵＴ−Ａの一例である。また、図６Ｃは、定常状態からの応答を前提としたオーバードライブＬＵＴ−Ｂの一例であり、図６Ｄは、定常状態からの応答を前提とした置換ＬＵＴ−Ａの一例である。
【００７５】
なお、図６Ａ〜図６Ｄに示した数字は階調を表している。最も暗い階調を０とし、最も明るい階調を２５５とした２５６段階で階調を表現している。「ＳＴＡＲＴ」はフレームメモリ１５０に格納され、オーバードライブ処理部１３５における処理対象となる左目用画像及び右目用画像の階調を表しており、「ＤＥＳＴＩＮＡＴＩＯＮ」は、オーバードライブ処理部１３５に入力される左目用画像及び右目用画像の階調を表している。そして、各表の中の数字は、オーバードライブ処理部１３５でのオーバードライブ処理で適用するパラメータを表している。置換ＬＵＴは、第２フレームのオーバードライブ処理が最適なものとなるように設定されている。このように、オーバードライブ処理部１３５で用いられる各ルックアップテーブルは、開始階調と目標階調の組み合わせの内、少なくとも半分以上の組み合わせにおいて、ＬＵＴ−Ａによる補正量の方がＬＵＴ−Ｂによる補正量よりも値が小さいことを特徴としている。
【００７６】
このようなパラメータを有するオーバードライブＬＵＴ及び置換ＬＵＴを用いたオーバードライブ処理を、右目用画像と左目用画像とを２フレームずつ続けて表示する場合において、右目用画像の階調が６４、左目用画像の階調が１２８であるときを例に挙げて説明する。
【００７７】
オーバードライブ処理部１３５が、階調が１２８である左目用画像の第１フレームに対するオーバードライブ処理を実行する時点では、フレームメモリ１５０には階調が６４である右目用画像が格納されている。ここで、フラグがオフになっている場合には、図６Ａ及び図６Ｂに示したオーバードライブＬＵＴ−Ａ及び置換ＬＵＴ−Ａが適用される。従って、この場合はＳＴＡＲＴが６４、ＤＥＳＴＩＮＡＴＩＯＮが１２８であるので、第１フレームにおいては、図６Ａに示したオーバードライブＬＵＴ−Ａに従って、階調が１７１の画像信号がオーバードライブ処理部１３５から出力され、フレームメモリ１５０には、図６Ｂに示した置換ＬＵＴ−Ａに従って階調が１１７の画像信号が格納される。そして、第２フレームに対しては、ＳＴＡＲＴが１１７となり、ＤＥＳＴＩＮＡＴＩＯＮは１２８となるので、図６Ａに示したオーバードライブＬＵＴ−Ａに従って、階調が１３６の画像信号がオーバードライブ処理部１３５から出力される。
【００７８】
一方、フラグがオンになっている場合には、図６Ｃ及び図６Ｄに示したオーバードライブＬＵＴ−Ｂ及び置換ＬＵＴ−Ｂが適用される。この場合はＳＴＡＲＴが６４、ＤＥＳＴＩＮＡＴＩＯＮが１２８であるので、第１フレームにおいては、図６Ｃに示したオーバードライブＬＵＴ−Ａに従って、階調が１７９の画像信号がオーバードライブ処理部１３５から出力され、フレームメモリ１５０には、図６Ｄに示した置換ＬＵＴ−Ａに従って階調が１０８の画像信号が格納される。そして、第２フレームに対しては、ＳＴＡＲＴが１１７となり、ＤＥＳＴＩＮＡＴＩＯＮは１２８となるので、図６Ｃに示したオーバードライブＬＵＴ−Ａに従って、階調が１４５の画像信号がオーバードライブ処理部１３５から出力される。
【００７９】
このように、この例においても、オーバードライブＬＵＴ−Ｂによる補正量がオーバードライブＬＵＴ−Ａによる補正量よりも大きくなるように設定することができる。
【００８０】
図７は、本発明の一実施形態にかかる表示装置１００における、オーバードライブ処理部１３５による一連のオーバードライブ処理の流れについて示す説明図である。
【００８１】
図７において、「入力」は映像信号制御部１２０に入力される映像信号をフレーム単位で表したものである。Ｒ０、Ｒ１、・・・は右目用画像信号を指し、Ｌ０、Ｌ１、Ｌ２、・・・は左目用画像信号を指している。図７では、図４と同様に、１フレーム目（Ｆｒａｍｅ１）から７フレーム目（Ｆｒａｍｅ７）までの７つのフレームが図示されている。
【００８２】
また、図７において、「フレームメモリ」は、フレームメモリ１５０に格納される映像信号を示したものである。図７では、第１フレームの画像信号は置換ＬＵＴを通してフレームメモリ１５０に格納し、第２フレームの画像信号はそのままフレームメモリ１５０に格納する場合について示している。従って、図７に示したように、フレームメモリ１５０に格納される画像信号は毎フレーム更新される。
【００８３】
また、図７において、「出力」は、右目用画像信号または左目用画像信号に対するオーバードライブ処理が実行された結果、オーバードライブ処理部１３５から出力される映像信号をフレーム単位で表したものである。そして、図７において、「フラグ」は、オーバードライブ処理部１３５において適用するオーバードライブＬＵＴ及び映像信号制御部１２０において適用する置換ＬＵＴを選択するためのフラグの状態を表したものである。
【００８４】
図７を用いて、オーバードライブ処理部１３５による一連のオーバードライブ処理を説明する。図７の例においては、右目用画像信号Ｒ０と左目用画像Ｌ１とが同一階調であるとする。右目用画像信号Ｒ０の直前の左目用画像および右目用画像は同一階調ではなく、右目用画像信号Ｒ０と左目用画像Ｌ１に対してはフラグがオフであるとする。したがって、第２フレームの左目用画像Ｌ１までは、オーバードライブ処理部１３５はＬＵＴ−Ａを各画像信号に適用してオーバードライブ処理を実行する。また、第１フレームの右目用画像信号Ｒ０、第１フレームの左目用画像信号Ｌ１は、映像信号制御部１２０において、置換ＬＵＴ−Ａを用いて階調が置換され、フレームメモリ１５０へ格納される。また、第２フレームの右目用画像信号Ｒ０、第２フレームの左目用画像信号Ｌ１は、階調は置換されずにフレームメモリ１５０へ格納される。
【００８５】
Ｒ０とＬ１が同一階調であったので、それに続くＲ１が入力されている間（Ｆｒａｍｅ５，６）はオーバードライブＬＵＴおよび置換ＬＵＴを選択するためのフラグがオンに設定される。オーバードライブＬＵＴを選択するためのフラグがオンに設定されることで、オーバードライブ処理部１３５ではオーバードライブＬＵＴ−Ｂが選択され、オーバードライブ処理部１３５でのオーバードライブ処理が実行される。また、フラグがオンに設定されることで、映像信号制御部１２０でも置換ＬＵＴ−Ｂが選択される。右目用画像信号Ｒ１の第１フレームは、置換ＬＵＴ−Ｂによって階調が置換され、フレームメモリ１５０に格納される。そして、続く第２フレームの右目用画像信号Ｒ１に対してもオーバードライブＬＵＴ−Ｂが選択され、オーバードライブ処理部１３５でのオーバードライブ処理が実行される。
【００８６】
ここで、同一の左目用画像または右目用画像が出力される複数フレームの中の、第１フレームでのオーバードライブ処理を最適なものとするためには、当該第１フレームのオーバードライブ処理に適用するフレームメモリ１５０の階調が、その前の画像（オーバードライブ処理の対象画像が左目用画像であれば、右目用画像）の入力階調（オーバードライブ処理及び置換処理の前の値）に等しいことが望ましい。ところが、置換ＬＵＴの設定値によっては、入力階調と異なる階調の画像がフレームメモリ１５０に格納されてしまう場合がある。従って、入力階調と異なる階調の画像がフレームメモリ１５０に格納されてしまうことを防ぐために、図７に示したように、同一の左目用画像または右目用画像が出力される複数フレーム中の最終フレームでは、置換ＬＵＴによる置換処理を行わないようにしてもよい。
【００８７】
以上、異なるオーバードライブＬＵＴ及び置換ＬＵＴを用いた、オーバードライブ処理部１３５によるオーバードライブ処理の例について説明した。
【００８８】
なお、上述したオーバードライブ処理部１３５によるオーバードライブ処理においては、複数フレームの全てにおいて同一のオーバードライブパラメータを適用する場合について示したが、本発明はかかる例に限定されない。複数フレームの一部のフレームに対して、他のフレームとは異なるオーバードライブパラメータを適用してオーバードライブ処理を実行してもよい。図８及び図９は、第１フレームに対して第２フレームとは異なるオーバードライブパラメータを適用してオーバードライブ処理を実行する場合の、オーバードライブ処理部１３５によるオーバードライブ処理の一連の流れについて示す説明図である。図８及び図９では、図４と同様に、１フレーム目（Ｆｒａｍｅ１）から７フレーム目（Ｆｒａｍｅ７）までの７つのフレームが図示されている。図８には、５フレーム目における右目用画像の第１フレームに対してはＬＵＴ−Ｂ（ＯＤ  ＬＵＴ  １−Ｂ）を適用し、６フレーム目における右目用画像の第２フレームに対してはＬＵＴ−Ａ（ＯＤ  ＬＵＴ  ２−Ａ）を適用した場合が図示されている。また図９には、５フレーム目における右目用画像の第１フレームに対してはＬＵＴ−Ｂ（ＯＤ  ＬＵＴ−Ｂ）を適用し、６フレーム目における右目用画像の第２フレームに対してはＬＵＴ−Ａ（ＯＤ  ＬＵＴ−Ａ）を適用した場合が図示されている。
【００８９】
図１０は、本発明の一実施形態にかかる表示装置１００によるオーバードライブ処理を実行した際の、定常状態から３Ｄ表示（右目用画像と左目用画像との繰り返し表示）に遷移した場合の応答波形の一例を示す説明図である。図１０に示したように、本発明の一実施形態にかかる表示装置１００によるオーバードライブ処理を実行することで、図１３に示した応答波形と比較して、応答不足に起因する定常状態から遷移した直後の尾引き現象や、その後の目標輝度からのずれが生じていないことが分かる。
【００９０】
＜２．まとめ＞
以上説明したように、本発明の一実施形態によれば、左目用画像および右目用画像を複数フレーム連続して順次切り替えて表示する表示装置１００において、複数のオーバードライブパラメータを用意し、オーバードライブ処理前の、連続する複数の左目用画像の階調または右目用画像の階調の差に応じて、その次の画像が表示される複数フレーム期間に適用するオーバードライブパラメータを選択する。表示装置１００は、左目用画像の階調または右目用画像の階調の差に応じてオーバードライブパラメータを選択して、オーバードライブ処理を実行することで、クロストークや尾引き現象の発生を抑えることができる。
【００９１】
なお、上述の例では、表示装置１００に右目用映像と左目用映像を連続して複数フレーム表示する場合について説明したが、本発明はかかる例に限定されない。図１４は、本発明の一実施形態にかかる表示装置１００において、右目用映像と左目用映像を連続して１フレームずつ表示する場合における一連のオーバードライブ処理の流れについて示す説明図である。
【００９２】
上述した一連のオーバードライブ処理は、ハードウェアによって実行してもよく、ソフトウェアによって実行してもよい。ソフトウェアによって実行する場合には、例えばプログラムが格納された記録媒体を表示装置１００に内蔵してもよい。そして、かかるプログラムを、表示装置１００に内蔵したＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）その他の制御装置が読み出して順次実行するようにしてもよい。
【００９３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９４】
例えば、上記実施形態では、立体的な映像を表示する表示装置１００を例に挙げて説明したが、本発明はかかる例に限定されない。例えば、時分割シャッタ方式を用いて、複数の対象者に異なる映像を表示する、いわゆるマルチビュー表示を実行する表示装置に本発明をしてもよい。マルチビュー表示は、立体視させる場合とは異なり、所定の期間においては特定のシャッタ眼鏡を通してのみ画像を見ることができるようにシャッタを制御することで、１つの表示装置で複数の画像を表示させることができる。
【産業上の利用可能性】
【００９５】
本発明は、表示装置、表示方法およびコンピュータプログラムに適用可能である。
【符号の説明】
【００９６】
１００    表示装置
１１０    画像表示部
１２０    映像信号制御部
１３０    シャッタ制御部
１３５    オーバードライブ処理部
１４０    タイミング制御部
１５０    フレームメモリ
【図１】
2011090079.tif 000003
【図２】
2011090079.tif 000004
【図３Ａ】
2011090079.tif 000005
【図３Ｂ】
2011090079.tif 000006
【図３Ｃ】
2011090079.tif 000007
【図３Ｄ】
2011090079.tif 000008
【図４】
2011090079.tif 000009
【図５】
2011090079.tif 000010
【図６Ａ】
2011090079.tif 000011
【図６Ｂ】
2011090079.tif 000012
【図６Ｃ】
2011090079.tif 000013
【図６Ｄ】
2011090079.tif 000014
【図７】
2011090079.tif 000015
【図８】
2011090079.tif 000016
【図９】
2011090079.tif 000017
【図１０】
2011090079.tif 000018
【図１１】
2011090079.tif 000019
【図１２】
2011090079.tif 000020
【図１３】
2011090079.tif 000021
【図１４】
2011090079.tif 000022